【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
患者のアクセスが制限されている位置における組織部位へ減圧を適用する減圧治療システムにおいて、当該システムが：
減圧を供給するように動作可能な減圧源と；
前記組織部位近傍に配置して前記組織部位に減圧を分布するよう動作可能な治療マニフォールドと；
前記組織部位の上に配置し、前記組織部位の上に空気シールを形成するよう動作するシーリング部材であって、第１の開口を有するシーリング部材と；
第１の端部及び第２の端部を有する減圧ブリッジと；を具え、
当該減圧ブリッジが：
減圧を前記治療マニフォールドに移送するように動作可能な送達マニフォールドと；
前記送達マニフォールドを少なくとも部分的に封入し、患者に対向する側部を有する第１の封入エンベロープと；
前記減圧ブリッジの第２の端部近傍に形成した減圧インターフェース部位と；
前記第１の封入エンベロープの患者に対向する側部に形成した第２の開口であって、前記減圧が当該第２の開口を介して前記組織部位に移送される、第２の開口部位と；
前記第１の封入エンベロープの少なくとも一部にある脱湿デバイスと；
を具えることを特徴とする減圧治療システム。
【請求項２】
請求項１に記載のシステムにおいて、前記第１の封入エンベロープが：
第１の周辺部位を有する第１の封入部材と；
第２の周辺部位を有する第２の封入部材と；を具え、
前記第１の周辺部位が、前記送達マニフォールドが前記第１の封入部材と前記第２の封入部材とによって少なくとも部分的に封入されるように、前記第２の周辺部位に連結されていることを特徴とするシステム。
【請求項３】
請求項２に記載のシステムが更に、前記減圧インターフェース部位に連結された減圧インターフェースを具え、前記減圧源が当該減圧インターフェースに流体連結されていることを特徴とするシステム。
【請求項４】
請求項１に記載のシステムにおいて、前記脱湿デバイスが前記第１の封入エンベロープの患者に対向する側部にウイッキング材を具え、当該ウイッキング材が遠隔位置にある組織部位に接触し、当該遠隔位置にある組織部位から液体を吸収するように構成されていることを特徴とするシステム。
【請求項５】
請求項４に記載のシステムにおいて、前記ウイッキング材が前記第１の封入エンベロープの長さに沿って延在していることを特徴とするシステム。
【請求項６】
請求項１に記載のシステムにおいて、前記湿脱デバイスが、コンフォートマニフォールドと、前記第１の封入エンベロープに連結されて、第２の封入エンベロープを形成する第３の封入部材とを具え、前記第２の封入エンベロープが前記コンフォートマニフォールドの少なくとも一部を封入し、前記第３の封入部材が複数の開口を有することを特徴とするシステム。
【請求項７】
請求項１に記載のシステムにおいて、前記第１の封入エンベロープがポリウレタン材でできていることを特徴とするシステム。
【請求項８】
請求項１に記載のシステムが更に：
前記シーリング部材の患者に対向する側部上の第１の接着剤と；
前記シーリング部材と前記第１の封入エンベロープとの間に配置した第２の接着剤であって、前記第１の接着剤が前記シーリング部材を前記患者に連結するように動作可能であり、前記第２の接着剤が前記シーリング部材を前記第１の封入エンベロープに連結するように動作可能である、第２の接着剤と；
を具えることを特徴とするシステム。
【請求項９】
請求項８に記載のシステムが更に：
前記第１の接着剤を覆う解放可能な裏打ちであって、前記第１の接着剤を露出させるように取り外し可能である裏打ちを具えることを特徴とするシステム。
【請求項１０】
請求項８に記載のシステムにおいて、前記第１の接着剤と前記第２の接着剤とが、アクリル接着剤でできていることを特徴とするシステム。
【請求項１１】
請求項１に記載のシステムにおいて、前記減圧ブリッジが、前記組織部位から遠隔位置へ延在する長さ（Ｌ）を有し、ここで、Ｌ＞１２０ｍｍであることを特徴とするシステム。
【請求項１２】
請求項１に記載のシステムにおいて、前記減圧ブリッジが、前記組織部位から遠隔位置へ延在する長さ（Ｌ）を有し、ここで、Ｌ＞２００ｍｍであることを特徴とするシステム。
【請求項１３】
請求項１に記載のシステムにおいて、前記減圧ブリッジが長さ（Ｌ）と幅（Ｗ）を有し、ここで、Ｌ＞（４＊Ｗ）であることを特徴とするシステム。
【請求項１４】
請求項１に記載のシステムにおいて、前記送達マニフォールドがフォーム材であることを特徴とするシステム。
【請求項１５】
遠隔部位から組織部位へ減圧を送達する減圧ブリッジにおいて、当該減圧ブリッジが：
前記減圧を移動させるように動作可能な送達マニフォールドと；
前記送達マニフォールドを少なくとも部分的に封入し、患者に対向する側部を有する第１の封入エンベロープと；
前記減圧ブリッジの第２の端部近傍に形成された減圧インターフェース部位と；
前記第１の封入エンベロープの患者に対向する側部に形成された開口であって、減圧を当該開口を介して前記組織部位へ移送可能である、開口と；
前記第１の封入エンベロープの少なくとも一部の上にある湿脱デバイスと；
を具えることを特徴とする減圧ブリッジ。
【請求項１６】
請求項１５に記載の減圧ブリッジにおいて、前記湿脱デバイスが、前記第１の封入エンベロープの患者に対向する側部上にウイッキング部材を具え、当該ウイッキング部材が遠隔組織部位に接触して当該遠隔組織部位から液体を吸収するように構成されていることを特徴とする減圧ブリッジ。
【請求項１７】
請求項１５に記載の減圧ブリッジにおいて、前記第１の封入エンベロープが：
第１の周辺部分を有する第１の封入部材と；
第２の周辺部分を有する第２の封入部材と；を具え、
前記第１の周辺部分が前記第２の周辺部分に、前記送達マニフォールドが前記第１の封入部材と前記第２の封入部材とによって少なくとも部分的に封入されるように連結されていることを特徴とする減圧ブリッジ。
【請求項１８】
請求項１７に記載の減圧ブリッジにおいて、前記第１の封入部材と前記第２の封入部材がポリウレタン材でできていることを特徴とする減圧ブリッジ。
【請求項１９】
請求項１６に記載の減圧ブリッジにおいて、前記ウイッキング材が布材のドレープを具えることを特徴とする減圧ブリッジ。
【請求項２０】
請求項１６に記載の減圧ブリッジにおいて、前記ウイッキング材が不織布でできていることを特徴とする、減圧ブリッジ。
【請求項２１】
請求項１６に記載の減圧ブリッジにおいて、前記ウイッキング材が前記第１の封入エンベロープの患者に対向する側部の少なくとも５０％を覆うことを特徴とする減圧ブリッジ。
【請求項２２】
請求項１６に記載の減圧ブリッジにおいて、前記ウイッキング材が前記第１の封入エンベロープの患者に対向する側部の少なくとも７０％を覆うことを特徴とする減圧ブリッジ。
【請求項２３】
請求項１６に記載の減圧ブリッジにおいて、前記ウイッキング材が前記第１の封入エンベロープの患者に対向する側部の少なくとも８０％を覆うことを特徴とする減圧ブリッジ。
【請求項２４】
請求項１６に記載の減圧ブリッジにおいて、前記ウイッキング材が前記第１の封入エンベロープの長さに沿って延在していることを特徴とする減圧ブリッジ。
【請求項２５】
請求項１５に記載の減圧ブリッジにおいて、前記湿脱デバイスが、コンフォートマニフォールドと、前記患者に対向する側部の上で前記コンフォートマニフォールドの少なくとも一部を封入する第３の封入部材と、を具え、当該第３の封入部材が複数の開口を有することを特徴とする減圧ブリッジ。
【請求項２６】
請求項１５に記載の減圧ブリッジにおいて、前記減圧ブリッジが長さ（Ｌ）を有し、ここで、Ｌ＞１２０ｍｍであることを特徴とする減圧ブリッジ。
【請求項２７】
請求項１５に記載の減圧ブリッジにおいて、前記減圧ブリッジが長さ（Ｌ）を有し、ここで、Ｌ＞２００ｍｍであることを特徴とする減圧ブリッジ。
【請求項２８】
請求項１５に記載の減圧ブリッジにおいて、前記減圧ブリッジが長さ（Ｌ）と、幅（Ｗ）を有し、ここで、Ｌ＞（４＊Ｗ）であることを特徴とする減圧ブリッジ。
【請求項２９】
請求項１５に記載の減圧ブリッジにおいて、前記送達マニフォールドがフォーム材であることを特徴とする減圧ブリッジ。
【請求項３０】
減圧治療キットにおいて、当該減圧治療キットが：
減圧インターフェースと；
減圧送達管と；
複数の予め形成した治療マニフォールドを有するマニフォールドユニットと；
複数の固定ストリップとシーリング部材に分離するよう操作可能な有孔シーリングシートと；
減圧ブリッジと；を具え、
当該減圧ブリッジが：
前記治療マニフォールドに減圧を移動させるよう操作可能な送達マニフォールドと；
前記送達マニフォールドを少なくとも部分的に封入し、患者に対向する側部を有する第１の封入エンベロープと；
前記減圧ブリッジの第２の端部近傍に形成された減圧インターフェース部位と；
前記第１の封入エンベロープの患者に対向する側部に形成された開口であって、減圧が前記開口を介して組織部位に移動する開口と；
前記第１の封入エンベロープの少なくとも一部にある湿脱デバイスと；
を具えることを特徴とする減圧治療キット。
【請求項３１】
請求項３０に記載の減圧治療キットが、更にルーラを具えることを特徴とする減圧治療キット。
【請求項３２】
請求項３０に記載の減圧治療キットが、更にパッケージを具え、当該パッケージが前記減圧ブリッジと、前記減圧インターフェースと、前記減圧送達管と、前記マニフォールドユニットと、前記有孔シーリングシートを囲んでいることを特徴とする減圧治療キット。
【請求項３３】
請求項３０に記載の減圧治療キットにおいて、前記減圧インターフェースが、前記減圧ブリッジの減圧インターフェース部位に連結されており、前記減圧送達管が、前記減圧インターフェースに連結されていることを特徴とする減圧治療キット。
【請求項３４】
請求項３０に記載の減圧治療キットにおいて、前記第１の封入エンベロープが：
第１の周辺部分を有する第１の封入部材と；
第２の周辺部分を有する第２の封入部材と；を具え、
前記第１の周辺部分が前記第２の周辺部分に連結されていることを特徴とする減圧治療キット。
【請求項３５】
請求項３４に記載の減圧治療キットにおいて、前記湿脱デバイスが、前記第１の封入エンベロープの患者に対向する側部の上にウィキング材を具え、当該ウィッキング材が遠隔組織部位に接触して、当該遠隔組織部位から液体を吸収するように構成されていることを特徴とする減圧治療キット。
【請求項３６】
請求項３４に記載の減圧治療キットにおいて、前記湿脱デバイスが、コンフォートマニフォールドと、前記患者に対向する側部の上で前記コンフォートマニフォールドの少なくとも一部を封入する第３の封入部材とを具え、前記第３の封入部材が複数の開口を有することを特徴とする減圧治療キット。